(57)【要約】【課題】開口部材を有さない場合に比べ、発光特性のバラツキを抑制する。【解決手段】基板６０と、有機ＥＬ（エレクトロルミネッセント）により発光する単一の有機ＥＬ発光部６２と、有機ＥＬ発光部６２からの発光光が通過する開口部６８Ａを有する走査可能な開口部材６８と、開口部材６８の開口部６８Ａを通過した発光光を予め定められた位置に結像させる結像部６９と、を備える。発光素子が一つしかないため、従来の構成に比べ、発光特性のバラつきが抑制される。【選択図】図５
2010214775.tif 000002
【特許請求の範囲】
【請求項１】
基板と、
前記基板に設けられ、有機ＥＬにより発光する有機ＥＬ発光部と、
前記有機ＥＬ発光部からの発光が通過する開口部を有する走査可能な開口部材と、
前記開口部材の開口部を通過した発光を予め定められた位置に結像させる結像部と、
を備える露光ヘッド。
【請求項２】
前記有機ＥＬ発光部は、予め定められた間隔に配置された複数の有機ＥＬ素子を有し、
前記開口部材は、前記複数の有機ＥＬ素子からの発光をそれぞれに通過させる開口部を有する請求項１に記載の露光ヘッド。
【請求項３】
前記開口部に配置され、前記有機ＥＬ発光部からの発光を集光する集光部材を備える請求項１又は請求項２に記載の露光ヘッド。
【請求項４】
前記結像部は、前記開口部に配置されている請求項１又は請求項２に記載の露光ヘッド。
【請求項５】
前記有機ＥＬ発光部は、前記開口部材の走査に同期して駆動する請求項１〜４のいずれか１項に記載の露光ヘッド。
【請求項６】
潜像を保持する潜像保持体、前記潜像保持体を帯電させる帯電装置及び前記潜像保持体の潜像を現像する現像装置の少なくとも１つと、
前記潜像保持体に光を照射して潜像を形成する請求項４に記載の露光ヘッドと、
を備える画像形成装置に着脱可能なカートリッジ。
【請求項７】
潜像を保持する潜像保持体と、
前記潜像保持体に光を照射して潜像を形成する請求項４に記載の露光ヘッドと、
前記露光ヘッドによって形成された潜像を現像する現像装置と、
を備える画像形成装置。
【発明の詳細な説明】
【技術分野】
【０００１】
本発明は、露光ヘッド、カートリッジ及び画像形成装置に関する。
【背景技術】
【０００２】
露光ヘッドとしては、特許文献１及び特許文献２に開示される露光ヘッドが公知である。
特許文献１に開示される露光ヘッドでは、平面のバックパネル光源を液晶シャッターのオン/オフ制御により、露光を制御する。
【０００３】
特許文献２に開示される露光ヘッドでは、基板Ｓの光出射面Ｓｂに凹部４０を形成し、該凹部４０の底部４０ａ上に各有機ＥＬ素子２４の画素電極３０に対向した位置に光学接着剤４３を用いてレンズアレイ２７を設けた。また、レンズアレイ２７を、各有機ＥＬ素子２４の画素電極３０に対向した位置に各有機ＥＬ素子２４に対応した数だけ設けた。さらに、各レンズアレイ２７を、感光ドラムに向かって延びる導光ファイバ４２と、該導光ファイバ４２の感光ドラム側端部に設けられたマイクロレンズ２６とで構成した。そして、各導光ファイバ４２の長さＬを各マイクロレンズ２６から出射された光が感光ドラム上で焦点を形成するように適宜調整した。
【先行技術文献】
【特許文献】
【０００４】
【特許文献１】特開平０２−３８０７１号公報
【特許文献２】特開２００７−９０８１３号公報（図４）
【発明の概要】
【発明が解決しようとする課題】
【０００５】
本発明は、開口部材を有さない場合に比べ、発光特性のバラツキを抑制することを課題とする。
【課題を解決するための手段】
【０００６】
請求項１の発明は、基板と、前記基板に設けられ、有機ＥＬにより発光する有機ＥＬ発光部と、前記有機ＥＬ発光部からの発光が通過する開口部を有する走査可能な開口部材と、前記開口部材の開口部を通過した発光を予め定められた位置に結像させる結像部と、を備える露光ヘッドである。
【０００７】
請求項２の発明は、前記有機ＥＬ発光部は、予め定められた間隔に配置された複数の有機ＥＬ素子を有し、前記開口部材は、前記複数の有機ＥＬ素子からの発光をそれぞれに通過させる開口部を有する請求項１に記載の露光ヘッドである。
【０００８】
請求項３の発明は、前記開口部に配置され、前記有機ＥＬ発光部からの発光を集光する集光部材を備える請求項１又は請求項２に記載の露光ヘッドである。
【０００９】
請求項４の発明は、前記結像部は、前記開口部に配置されている請求項１又は請求項２に記載の露光ヘッドである。
【００１０】
請求項５の発明は、前記有機ＥＬ発光部は、前記開口部材の走査に同期して駆動する請求項１〜４のいずれか１項に記載の露光ヘッドである。
【００１１】
請求項６の発明は、潜像を保持する潜像保持体、前記潜像保持体を帯電させる帯電装置及び前記潜像保持体の潜像を現像する現像装置の少なくとも１つと、前記潜像保持体に光を照射して潜像を形成する請求項４に記載の露光ヘッドと、を備える画像形成装置に着脱可能なカートリッジである。
【００１２】
請求項７の発明は、潜像を保持する潜像保持体と、前記潜像保持体に光を照射して潜像を形成する請求項４に記載の露光ヘッドと、前記露光ヘッドによって形成された潜像を現像する現像装置と、を備える画像形成装置である。
【発明の効果】
【００１３】
本発明の請求項１の構成によれば、開口部材を有さない場合に比べ、発光特性のバラツキを抑制できる。
【００１４】
本発明の請求項２の構成によれば、本構成を有していない場合に比べ、発光特性のバラツキを抑制できる。
【００１５】
本発明の請求項３の構成によれば、集光部材を有さない場合に比べ、集光効率が向上する。
【００１６】
本発明の請求項４の構成によれば、結像部が開口部に配置されていない場合に比べ、結像部の位置バラツキの影響を低減できる。
【００１７】
本発明の請求項５の構成によれば、有機EL発光部が開口部材の走査に動機していない場合に比べ、発光特性のバラツキを抑制できる。
【００１８】
本発明の請求項６の構成によれば、本構成を有していないカートリッジ場合に比べ、発光特性のバラツキを抑制できる。
【００１９】
本発明の請求項７の構成によれば、本構成を有していない画像形成装置場合に比べ、濃度ムラの少ない画像が得られる。
【図面の簡単な説明】
【００２０】
【図１】図１は、本実施形態に係る画像形成装置の構成を示す概略図である。
【図２】図２は、本実施形態に係る露光ヘッドの構成を示す概略斜視図である。
【図３】図３は、本実施形態に係る露光ヘッドからの発光光が感光体ドラムに結像される状態を模式的に示した模式図である。
【図４】図４は、有機ＥＬ素子の構成を示す概略図である。
【図５】図５は、本実施形態に係る露光ヘッドの構成を示す概略側面図である。
【図６】図６は、変形例１に係る露光ヘッドの構成を示す概略側面図である。
【図７】図７は、変形例２に係る露光ヘッドの構成を示す概略側面図である。
【図８】図８は、変形例３に係る露光ヘッドの構成を示す概略側面図である。
【図９】図９は、比較例１に係る露光ヘッドの構成を示す概略側面図である。
【図１０】図１０は、比較例２に係る露光ヘッドの構成を示す概略側面図である。
【図１１】図１１は、本実施形態・変形例１〜３と比較例１、２との評価結果を示す表である。
【発明を実施するための形態】
【００２１】
以下に、本発明に係る実施形態の一例を図面に基づき説明する。
（本実施形態に係る画像形成装置１０の構成）
まず、本実施形態に係る画像形成装置１０の構成を説明する。図１は、本実施形態に係る画像形成装置１０の構成を示す概略図である。
【００２２】
本実施形態に係る画像形成装置１０は、図１に示すように、各構成部品を収容する装置筐体１１と、用紙等の記録媒体Ｐが収容される記録媒体収容部１２と、記録媒体Ｐにトナー画像を形成する画像形成部１４と、記録媒体収容部１２から画像形成部１４へ記録媒体Ｐを搬送する搬送部１６と、画像形成部１４によって形成されたトナー画像を記録媒体Ｐに定着させる定着装置１８と、定着装置１８によってトナー画像が定着された記録媒体Ｐが排出される記録媒体排出部（図示省略）と、を備えている。
【００２３】
記録媒体収容部１２、画像形成部１４、搬送部１６及び定着装置１８は、装置筐体１１に収容されている。
【００２４】
画像形成部１４は、シアン（Ｃ）、マゼンタ（Ｍ）、イエロー（Ｙ）、ブラック（Ｋ）の各色のトナー画像を形成する画像形成ユニット２２Ｃ、２２Ｍ、２２Ｙ、２２Ｋと、画像形成ユニット２２Ｃ、２２Ｍ、２２Ｙ、２２Ｋで形成されたトナー画像が転写される中間転写体の一例としての中間転写ベルト２４と、画像形成ユニット２２Ｃ、２２Ｍ、２２Ｙ、２２Ｋで形成されたトナー画像を中間転写ベルト２４に転写する一次転写部材の一例としての一次転写ロール２６と、中間転写ベルト２４に転写されたトナー画像を記録媒体Ｐに転写する二次転写部材の一例としての二次転写ロール２８と、を備えている。
【００２５】
画像形成ユニット２２Ｃ、２２Ｍ、２２Ｙ、２２Ｋは、潜像を保持する像保持体の一例として、一方向（図１において時計回り方向）へ回転する感光体ドラム３０をそれぞれ有している。
【００２６】
各感光体ドラム３０の周囲には、感光体ドラム３０の回転方向上流側から順に、感光体ドラム３０の表面を帯電させる帯電装置３２と、帯電した感光体ドラム３０の表面を露光して感光体ドラム３０の表面に静電潜像を形成する露光装置としての露光ヘッド３４と、感光体ドラム３０の表面に形成された静電潜像を現像してトナー画像を形成する現像装置３６と、トナー画像が中間転写ベルト２４に転写された後の感光体ドラム３０の表面に残留しているトナーを除去する除去装置４０と、が設けられている。
【００２７】
感光体ドラム３０、帯電装置３２、露光ヘッド３４、現像装置３６及び除去装置４０は、画像形成ユニット２２Ｃ、２２Ｍ、２２Ｙ、２２Ｋに収容されてユニット化されている。画像形成ユニット２２Ｃ、２２Ｍ、２２Ｙ、２２Ｋは、装置筐体１１に着脱可能に設けられたプロセスカートリッジとされており、交換可能となっている。
【００２８】
なお、感光体ドラム３０、帯電装置３２、露光ヘッド３４、現像装置３６及び除去装置４０の全てがユニット化される必要は無い。例えば、感光体ドラム３０、帯電装置３２及び現像装置３６の少なくとも１つと、露光ヘッド３４とが、画像形成ユニット２２Ｃ、２２Ｍ、２２Ｙ、２２Ｋに収容されてユニット化されていれば良い。
【００２９】
中間転写ベルト２４は、二次転写ロール２８に対向する対向ロール４２、駆動ロール４４及び支持ロール４６によって支持され、感光体ドラム３０と接触しながら一方向（図１において反時計回り方向）へ循環移動するようになっている。
【００３０】
一次転写ロール２６は、中間転写ベルト２４を挟んで、感光体ドラム３０に対向している。一次転写ロール２６と感光体ドラム３０との間には、感光体ドラム３０上のトナー画像が中間転写ベルト２４に一次転写される一次転写位置が形成される。この一次転写位置において、一次転写ロール２６が感光体ドラム３０の表面のトナー画像を圧接力と静電力により中間転写ベルト２４に転写するようになっている。
【００３１】
二次転写ロール２８は、中間転写ベルト２４を挟んで対向ロール４２と対向している。二次転写ロール２８と対向ロール４２との間には、中間転写ベルト２４上のトナー画像が記録媒体Ｐに二次転写される二次転写位置が形成される。この二次転写位置において、二次転写ロール２８が中間転写ベルト２４の表面のトナー画像を圧接力と静電力により記録媒体Ｐに転写するようになっている。
【００３２】
搬送部１６は、記録媒体収容部１２に収容された記録媒体Ｐを送り出す送出ロール５０と、送出ロール５０によって送り出された記録媒体Ｐを二次転写位置へ搬送する搬送ロール対５２と、を備えている。
【００３３】
定着装置１８は、二次転写位置より搬送方向下流側に配置されており、二次転写位置で転写されたトナー画像を記録媒体Ｐへ定着させる。
【００３４】
二次転写位置より搬送方向下流側であって、定着装置１８よりも搬送方向上流側には、定着装置１８に記録媒体Ｐを搬送する搬送部材の一例としての搬送ベルト５４が配置されている。
【００３５】
以上の構成により、本実施形態に係る画像形成装置１０では、まず記録媒体収容部１２から送り出された記録媒体Ｐが、搬送ロール対５２によって二次転写位置へ送り込まれる。
【００３６】
一方、中間転写ベルト２４には、画像形成ユニット２２Ｃ、２２Ｍ、２２Ｙ、２２Ｋで形成された各色のトナー画像が重ねられて、カラー画像が形成される。二次転写位置へ送り込まれた記録媒体Ｐは、中間転写ベルト２４上に形成されたカラー画像が転写される。
【００３７】
トナー画像が転写された記録媒体Ｐは、定着装置１８へ搬送され、転写されたトナー画像が定着装置１８により定着される。トナー画像が定着された記録媒体Ｐは、記録媒体排出部（図示省略）へ排出される。以上のように、一連の画像形成動作が行われる。
【００３８】
なお、画像形成装置の構成としては、上記の構成に限られず、例えば、中間転写体を有さない直接転写型の画像形成装置でもよく、種々の構成とすることが可能である。
【００３９】
（露光ヘッド３４の構成）
次に、露光ヘッド３４の構成を説明する。図２、図３及び図５は、本実施形態に係る露光ヘッド３４の構成を示す概略図である。
【００４０】
各露光ヘッド３４は、図２、図３及び図５に示すように、基板６０と、有機ＥＬ（エレクトロルミネッセント）により発光する有機ＥＬ発光部６２と、有機ＥＬ発光部６２からの発光光が通過する開口部６８Ａを有する走査可能な開口部材６８と、開口部材６８の開口部６８Ａを通過した発光光を予め定められた位置に結像させる結像部６９と、を備えている。
【００４１】
基板６０は、主走査方向Ｘに長くされた長尺状に形成されている。また、基板６０は、絶縁性を有する基板で形成され、例えば、ガラス基板や樹脂基板で構成されている。
【００４２】
（有機ＥＬ発光部６２の構成）
まず、有機ＥＬ発光部６２の構成について説明する。
【００４３】
有機ＥＬ発光部６２は、基板６０に設けられており、単一の有機ＥＬ素子７０を有している。有機ＥＬ素子７０は、基板６０の長手方向に沿って線状に形成されており、線状光源して用いられる。有機ＥＬ素子７０は、感光体ドラム３０の画像形成領域以上の長さとされている。
【００４４】
有機ＥＬ素子７０の構成としては、後述の発光層７２から発生する光を基板６０側から取り出すボトムエミッション型の有機ＥＬ素子と、後述の発光層７２から発生する光を基板６０とは反対側から取り出すトップエミッション型の有機ＥＬ素子とがある。
【００４５】
以下に、トップエミッション型の有機ＥＬ素子７０Ａについて説明する。図４は、トップエミッション型の有機ＥＬ素子７０Ａの構成を示す概略図である。
【００４６】
有機ＥＬ素子７０Ａは、図４に示すように、陽極７１と、陽極７１と対をなす陰極７３と、陽極７１と陰極７３との間に配置された発光層７２と、反射層７４と、正孔注入層７６と、封止層７５とを備えている。
【００４７】
陽極７１、陰極７３、発光層７２、反射層７４、正孔注入層７６及び封止層７５は、反射層７４、陽極７１、正孔注入層７６、発光層７２、陰極７３、封止層７５の順で、基板６０に積層されている。
【００４８】
なお、トップエミッション型の有機ＥＬ素子７０Ａとしては、正孔注入層７６、反射層７４及び封止層７５を有さない構成であってもよく、少なくとも、陽極７１、陰極７３、発光層７２及び第３電極７９を有していれば良い。
【００４９】
反射層７４は、基板６０表面に形成されている。反射層７４は、発光層７２からの光を発光層７２側に反射する。反射層７４には、例えば、Al、Ag、Mo、W、Ni、Crなどが用いられている。なお、反射層７４の材料としては、上記に限られるものではない。また、反射層７４の厚さは、例えば、150ｎｍとされる。なお、反射層７４の厚さは、これに限られるものではない。
【００５０】
陽極７１は、反射層７４の表面に形成されている。陽極７１には、例えば、SnO2、In2O3、ITO、IZO:Alなどの導電性金属酸化物が用いられる。なお、陽極７１の材料は、上記に限られるものではない。また、陽極７１の厚さは、例えば、100ｎｍとされる。なお、陽極７１の厚さは、これに限られるものではない。
【００５１】
なお、陽極７１は、有機ＥＬ素子７０Ａでは、発光層７２から発生した光を基板６０と反対側から取り出すため、陽極７１は、光を透過する透過性を有している必要性はない。
【００５２】
正孔注入層７６は、陰極７３と陽極７１との間に電圧が印加されることにより、陽極７１側から正孔が注入される。正孔注入層７６には、例えば、フタロシアニン類（CuPcなどを含む）またはインダンスレン系化合物などの低分子材料、ＭＴＤＡＴＡ（４，４’，４”−トリス（３−メチルフェニルフェニルアミノ）トリフェニルアミン）、ポリアニリン、ＰＥＤＯＴ/ＰＳＳ（ポリエチレンジオキシチオフェン/ポリスチレンスルフォネート）等の高分子材料等が用いられる。なお、正孔注入層７６の材料としては、上記に限られるものでない。また、正孔注入層７６の厚さは、例えば、30ｎｍとされる。なお、正孔注入層７６の厚さは、これに限られるものではない。なお、正孔注入層７６と陽極７１との間には、正孔注入効率を高めるために正孔輸送層などを配置しても良い。
【００５３】
発光層７２には、陰極７３と陽極７１との間に電圧が印加されることにより、陰極７３側から電子が注入される。また、発光層７２には、正孔注入層７６に注入された正孔が移動し、この正孔と電子とが発光層７２で結合することにより、発光層７２が発光する。
【００５４】
発光層７２としては、キレート型有機金属錯体、多核又は縮合芳香環化合物、ペリレン誘導体、クマリン誘導体、スチリルアリーレン誘導体、シロール誘導体、オキサゾール誘導体、オキサチアゾール誘導体、又はオキサジアゾール誘導体、ポリパラフェニレン誘導体、ポリパラフェニレンビニレン誘導体、ポリチオフェン誘導体、又はポリアセチレン誘導体等が挙げられる。なお、発光層７２の材料としては、上記に限られるものでない。また、発光層７２の厚さは、例えば、50ｎｍとされる。なお、発光層７２の厚さは、これに限られるものではない。
【００５５】
陰極７３は、光を透過する透過性を有しており、発光層７２から発生する光を基板６０とは反対側から取り出すことを許容する。本実施形態では、陰極７３は、第１層７３Ｘと第２層７３Ｙとを備えている。第１層７３Ｘは、発光層７２側に配置されており、例えば、Caで構成されている。第２層７３Ｙは、発光層７２とは反対側に配置されており、例えば、Alで構成されている。また、第１層７３Ｘの厚さは、例えば、20ｎｍとされ、第２層７３Ｙの厚さは、例えば、数十ｎｍとされる。なお、第１層７３Ｘ及び第２層７３Ｙの厚さは、これに限られるものではない。
【００５６】
また、陰極７３は一層で構成されていてもよい。また、陰極７３の材料は、上記の限られるものではなく、例えば、SnO2、In2O3、ITO、IZO:Alなどの導電性金属酸化物を用いてもよい。また、陰極７３と発光層７２との間には、電子注入効率を高めるための電子注入層や電子輸送層などを配置しても良い。陰極７３の表面には、封止層７５が形成されている。
【００５７】
なお、有機ＥＬ素子７０として、トップエミッション型の有機ＥＬ素子７０Ａについて説明したが、有機ＥＬ素子７０としては、ボトムエミッション型の有機ＥＬ素子であってもよい。ボトムエミッション型の有機ＥＬ素子では、陽極７１、陰極７３、発光層７２、反射層７４、正孔注入層７６及び封止層７５は、陽極７１、正孔注入層７６、発光層７２、陰極７３、反射層７４、封止層７５の順で、基板６０に積層される。また、発光光の出射側に有る陽極７１、基板６０は、発光光を透過する透過性が必要となる。
【００５８】
（有機ＥＬ発光部６２の出射側の構成）
次に、有機ＥＬ発光部６２の出射側の構成について説明する。
【００５９】
有機ＥＬ発光部６２の出射側には、図５に示すように、開口部材６８と、結像部６９とが、感光体ドラム３０との有機ＥＬ発光部６２との間に配置されている。
【００６０】
結像部６９は、有機ＥＬ発光部６２からの発光光を感光体ドラム３０の表面に結像する結像素子アレイの一例としてのレンズアレイ６４を備えて構成されている。レンズアレイ６４は、結像素子の一例としてのロッドレンズ６４Ａが複数配列されて構成されている。有機ＥＬ素子７０からの発光光を感光体ドラム３０に結像することによって、感光体ドラム３０が露光されて潜像が形成される。
【００６１】
なお、結像部６９としては、レンズアレイ６４に限られず、種々の構成とすることが可能である。結像部６９としては、例えば、シリンドリカルレンズを用いても良い。
【００６２】
開口部材６８には、単一の開口部６８Ａが形成されている。開口部材６８は、開口部６８Ａにおいて、有機ＥＬ発光部６２からの発光光が通過して、それ以外の部位では有機ＥＬ発光部６２からの発光光を遮蔽する。
【００６３】
開口部材６８には、主走査方向（感光体ドラム３０の軸方向）に沿って開口部材６８を移動させる移動機構６５が設けられている。移動機構６５としては、ボールねじ・ベルトなどの機械要素を用いて構成される。
【００６４】
この移動機構６５が開口部材６８を移動させて開口部６８Ａを移動させることにより、感光体ドラム３０が、その軸方向に沿って連続的に順次露光される。
【００６５】
移動機構６５には、開口部材６８の移動を制御する制御回路６７が設けられている。制御回路６７によって、開口部材６８は、移動・停止の制御及び移動速度の制御がなされる。
【００６６】
また、基板６０には、図２に示すように、有機ＥＬ発光部６２を駆動する単一の駆動回路６６が設けられている。この駆動回路６６によって、有機ＥＬ発光部６２の発光が制御される。発光の制御としては、点灯・消灯（ＯＮ・ＯＦＦ）の制御、発光強度に制御がある。
【００６７】
例えば、有機ＥＬ発光部６２が駆動回路６６によって点灯・消灯及び発光強度が制御される場合には、制御回路６７は、開口部材６８を一定速度で移動させる制御し、感光体ドラム３０への必要な露光量を得るようにしてもよい。また、有機ＥＬ発光部６２が駆動回路６６によって一定の発光強度で点灯・消灯が制御される場合には、制御回路６７は、開口部材６８の移動速度を変化させることにより、感光体ドラム３０への必要な露光量を得るようにしてもよい。また、駆動回路６６によって、有機ＥＬ発光部６２の点灯・消灯及び発光強度が制御すると共に、開口部材６８の移動速度を変化させる制御を同期させて行ってもよい。
【００６８】
上記のように、本実施形態の構成では、発光素子が一つしかないため、これを駆動するための駆動回路６６が１つで済むため、発光素子間の発光特性のバラつきという問題が発生しにくい。また、発光素子の劣化に伴って一定光量を保つための補正回路も一対で良く、回路規模が縮小される。これに伴って、実装コストも低減される。
【００６９】
（変形例１）
次に、変形例１の構成について説明する。図６は、変形例１に係る露光ヘッドの構成を示す概略側面図である。
【００７０】
変形例１の構成では、図６に示すように、有機ＥＬ発光部６２は、有機ＥＬ素子が分割されて構成されており、線状の有機ＥＬ素子７０が予め定められた間隔に複数配置されて構成されている。
【００７１】
開口部材６８には、複数の開口部６８Ａが形成されており、各開口部６８Ａが、複数の有機ＥＬ素子７０からの発光光をそれぞれに通過させる。開口部６８Ａは、具体的には、有機ＥＬ素子７０と同数とされている。また、有機ＥＬ素子７０を駆動する駆動回路６６がそれぞれの有機ＥＬ素子７０に設けられている。
【００７２】
変形例１の構成によれば、発光素子の一素子あたりの露光領域が限定され、開口部材６８の開口部６８Ａの走査範囲が小さくなる。これにより、有機ＥＬ素子７０が１つである構成に比べて、露光速度が速くなる。
【００７３】
（変形例２）
次に、変形例２の構成について説明する。図７は、変形例２に係る露光ヘッドの構成を示す概略側面図である。
【００７４】
変形例２では、図７に示すように、有機ＥＬ発光部６２からの発光光を集光する集光部材の一例としての集光レンズ８６が、開口部材６８の開口部６８Ａに配置されている。
【００７５】
画素数に応じて多数の有機ＥＬ素子を有する構成では、その数の集光レンズが必要となるのに対して、変形例２では、１つの集光レンズ８６で済む。
【００７６】
これにより、露光ヘッド３４が安価な構成となる。また、集光レンズ８６が１つで済むため、集光レンズ間の集光特性のバラつきという問題が発生しにくい。なお、変形例２の構成は、変形例１の構成と組みあわても良い。
【００７７】
（変形例３）
次に、変形例３の構成について説明する。図８は、変形例３に係る露光ヘッドの構成を示す概略側面図である。
【００７８】
変形例３では、図８に示すように、有機ＥＬ発光部６２からの発光光を感光体ドラム３０に結像する結像レンズとしてのロッドレンズ６４Ａが、開口部材６８の開口部６８Ａに配置されている。
【００７９】
変形例３の構成では、結像レンズアレイが不要となるので、露光ヘッド３４が安価な構成となる。また、ロッドレンズ６４Ａが１つで済むため、結像レンズ間の結像特性のバラつきという問題が発生しにくい。なお、変形例３の構成は、変形例１の構成と組みあわても良い。
【００８０】
（評価）
上記の実施形態の構成及び変形例１〜３と、下記の比較例１、２とにおいて、発光素子を同一の光量で発光させたときの結像面における1素子当たりの平均光量と、測定光量のバラつきと、試算した製造コストとを比較評価した。測定光量のバラつきは、結像面での光量の最小値と最大値の差によって求めた。
【００８１】
（比較例１）
比較例１では、図９に示すように、基板１０２上に、予め定められた解像度で露光幅一杯に渡って並置された有機ＥＬ素子１０４と、有機ＥＬ素子１０４からの発光光を感光体ドラム３０にそれぞれ結像させる結像レンズアレイ１０６とを備えている。有機ＥＬ素子１０４には、それぞれを駆動する駆動回路が設けられている。
【００８２】
（比較例２）
比較例２は、比較例1の構成において、図１０に示すように、各有機ＥＬ素子１０４に集光レンズ１０８が配置された構成とされている。
【００８３】
この結果、図１１に示すように、実施形態・変形例１〜３は、比較例１、２に比べて、光量のばらつきが少なく、低コストであることがわかった。また、実施形態・変形例１〜３のなかでも、変形例３が、特に光量のばらつきが少なく、低コストであることがわかった。本発明は、上記の実施形態に限るものではなく、種々の変形、変更、改良が可能である。
【符号の説明】
【００８４】
１０   画像形成装置
２２Ｃ、２２Ｍ、２２Ｙ、２２Ｋ     画像形成ユニット
３０   感光体ドラム（像保持体）
３４   露光ヘッド
３６   現像装置
６２   有機ＥＬ発光部
６８Ａ 開口部
６８   開口部材
６９   結像部
７０   有機ＥＬ素子
８６   集光レンズ（集光部材）
【図１】
2010214775.tif 000003
【図２】
2010214775.tif 000004
【図３】
2010214775.tif 000005
【図４】
2010214775.tif 000006
【図５】
2010214775.tif 000007
【図６】
2010214775.tif 000008
【図７】
2010214775.tif 000009
【図８】
2010214775.tif 000010
【図９】
2010214775.tif 000011
【図１０】
2010214775.tif 000012
【図１１】
2010214775.tif 000013